(57)【要約】  本発明は、コミュニケータからの照会信号をトランスポンダが反映する識別システムに関する方法に関係し、前記反映される信号はコミュニケータが読取り可能なデータにより変調済みであり、前記トランスポンダ・メモリに記憶されたデータに基づいて計算されるチェック・サムを前記データ伝送変調が含む。本発明は、前記トランスポンダ・メモリに前記チェック・サムを永久に記憶させることを特徴とする。本発明はまたトランスに関する。【特許請求の範囲】
【請求項１】
コミュニケータ（４）からの照会信号（１０）をトランスポンダ（１）が反射する識別システムに関する方法であって、前記反映される信号（１１）はコミュニケータ（４）により読取り可能なデータにより変調済みであり、また前記データ伝送変調は、前記トランスポンダの前記メモリ（３）に記憶されたデータに基づいて計算されるチェック・サムを含み、前記チェック・サムを前記トランスポンダ・メモリに記憶させることを特徴とする前記方法。
【請求項２】
トランスポンダの１グループと一致し、トランスポンダの他のグループと比較して相違するアルゴリズムに基づいてチェック・サムを計算させることを特徴とする請求項１記載の方法。
【請求項３】
トランスポンダ（１）を読取るたびに前記アルゴリズムに基づいた計算が前記コミュニケータ（４）内で行なわれ、また前記反射される信号（１１）により転送された前記記憶されたチェック・サムと前記計算されたチェック・サムが比較されることを特徴とする請求項１または請求項２記載の方法。
【請求項４】
前記コミュニケータ（４）における前記チェック・サムの計算が、トランスポンダ（１）から転送されたチェック・サムを含まない請求項１ないし請求項３のいずれかの請求項に記載の方法。
【請求項５】
前記コミュニケータ（４）における前記チェック・サムの計算が、トランスポンダ（１）から転送されたチェック・サムを含む請求項１ないし請求項３のいずれかの請求項に記載の方法。
【請求項６】
少なくとも１つのアンテナ（２）と、少なくとも１つもメモリ（３）と、コミュニケータ（４）から受信する照会信号（１０）を反射し変調する少なくとも１つの手段とを含むトランスポンダであって、前記反射される信号（１１）がデータ伝送変調を含み、前記反射される信号（１１）をコミュニケータ（４）により読取り可能であり、前記トランスポンダ・メモリ（３）に記憶されたデータに基づいて計算されたチェック・サムを前記データ伝送変調が含み、前記トランスポンダ・メモリ（３）内に記憶されたチェック・サムを前記トランスポンダ（１）が含むことを特徴とする前記トランスポンダ。
【請求項７】
トランスポンダの１グループと一致して、トランスポンダの他のグループと比較して相違するアルゴリズムに基づいて計算される前記記憶されたチェック・サムを特徴とする請求項５記載のトランスポンダ。
【発明の詳細な説明】
【技術分野】
【０００１】
本発明は識別システムに関連する方法に関し、また識別システムに関する。
【０００２】
本発明は、会社、認証済みアクセスを必要とする場所、空港、競技場のような興味と活動のある場所、および識別システムの必要なその他の場所に関して、個人および権限のある従業員の制御に関する。
【背景技術】
【０００３】
公知の自動識別システムは、典型的に、個別に添付されたＩＤタグ、およびＩＤタグ読取装置を含む。
【０００４】
無線周波数を使用する公知の自動識別システム、いわゆるＲＦＩＤ（無線周波数識別）は、少なくとも１つのトランスポンダおよび少なくとも１つのコミュニケータを含む。トランスポンダの公知のタイプは、アンテナ、変調器、メモリおよび変調器制御論理回路を含む。あるそうした公知のトランスポンダはまた、コミュニケータからの出力信号を受信して、この信号を変調状態で反射することができるように設計されている。このコミュニケータは、トランスポンダにより反射され変調された信号を受信して読取ることができるように設計されている。
【０００５】
トランスポンダを含むＩＤタグは、識別すべきオブジェクト上に個別に配置できる。トランスポンダに含まれる情報は、所与の短距離、たとえば５メートル離れたコミュニケータにより読取ることができる。
【０００６】
トランスポンダからコミュニケータへの情報の転送に関する安全性と信頼性を強化するために、いわゆるチェック・サムを含ませてきたが、これは、トランスポンダに記憶されたデータに基づいて、適当なアルゴリズムに従って、トランスポンダ内の回路により計算され、前記チェック・サムは、データの転送とともに、トランスポンダからコミュニケータへ転送される。
【０００７】
トランスポンダにより反射され変調された信号をコミュニケータが受信すると、続いてアルゴリズムに基づく対応する計算がコミュニケータに起る。コミュニケータ内の複数のチェック・サムが比較される。
【０００８】
上述した公知の技術の１つの問題点は、チェック・サムの計算が電子回路を必要とし、それはエネルギーをも必要とし、それによりトランスポンダに伴うコストを増大させることである。
【発明の開示】
【発明が解決しようとする課題】
【０００９】
本発明の目的は、低い製造コストを有し、またトランスポンダがバッテリーを不要にする程度に低いエネルギー消費を有するトランスポンダを含むシステムを提供することである。
【００１０】
上記の問題は、本発明により解決される。
【課題を解決するための手段】
【００１１】
従って、本発明は、コミュニケータからの照会信号をトランスポンダが反射する識別システムに関連する方法に関し、前記反射される信号はコミュニケータにより読取り可能なデータにより変調済みであり、前記データ伝送変調はトランスポンダ・メモリに記憶されたデータに基づいて計算されたチェック・サムを含み、そして本発明は、トランスポンダ・メモリにチェック・サムを永久に記憶することを特徴とする。
【００１２】
本発明はまた、少なくとも１つのアンテナと、少なくとも１つのメモリと、コミュニケータからの照会信号を反射し変調する少なくも１つの手段とを有するトランスポンダであって、前記反射される信号がデータ伝送変調を含み、前記反射される信号がコミュニケータにより読取り可能であり、前記データ伝送変調はトランスポンダに記憶されたデータに基づいて計算されるチェック・サムを含み、前記発明は前記トランスポンダが前記トランスポンダ・メモリに記憶されたチェック・サムを含むことを特徴とする。
【実施例】
【００１３】
さて、添付図面に図示された例示の実施例を部分的に参照して、本発明を一層詳細に説明する。
【００１４】
図１はアンテナ２およびＲＯＭメモリ３を含むトランスポンダ１を図示する予備的な図面である。図１にはまた、アンテナ５、６を有するコミュニケータ４、メモリ７、プロセッサ８およびデータ・システム９が示されている。照会信号１０および反射される変調済み応答信号１１もまた、図１に示されている。
【００１５】
本発明の１つの好ましい実施例は、トランスポンダの１グループについて同一であり、トランスポンダの他のグループと比較して異なるアルゴリズムに基づいてチェック・サムを計算させることを特徴とする方法にある。
【００１６】
本発明の更なる好ましい実施例は、トランスポンダ１が読取られるたびに前記アルゴリズムによる計算がコミュニケータ４で行われ、反射される信号１１により転送された記憶されたチェック・サムと、計算されたチェック・サムが比較される方法にある。
【００１７】
本発明の１つの好ましい実施例において、トランスポンダの１グループと一致して、トランスポンダの他のグループと異なるアルゴリズムに基づいて計算される記憶されたチェック・サムを特徴とするトランスポンダ１が含まれている。
【００１８】
この識別システムは、照会信号１０を連続的に送信するコミュニケータ４を含む。トランスポンダ１がコミュニケータ４の近辺にあるときは、信号１０がトランスポンダ・アンテナ２により受信され、信号１０はそれから反射され変調されて、情報を収納する。この情報には、トランスポンダ・メモリ３に永久に記憶されるデータが含まれ、特に、オブジェクトまたは個人に関する識別データ、およびトランスポンダにやはり永久的に記憶されるチェック・サムが含まれる。
【００１９】
先行して知られる技法とは反対に、このチェック・サムは既に計算済みでトランスポンダ１に記憶されており、従って、データが出力されるたびに計算される必要がない。これは、チェック・サム計算回路のない一層単純なトランスポンダ１の長所を提供する。
【００２０】
このチェック・サムは、受信済みのデータからコミュニケータ４で計算され、受信されたチェック・サムとコミュニケータ４で比較される。チェック・サムが互いに一致しなければ、情報は、間違って転送されたと考えられる。チェック・サムが互いに一致すれば、転送された情報は全て正しく転送されたと考えられる。
【００２１】
本発明の１つの実施例によれば、転送されたチェック・サムを計算に含まずに、トランスポンダ１から転送された情報に基づいて、コミュニケータ４でチェック・サムが計算される。本発明のもう１つの実施例によれば、チェック・サムは、トランスポンダ１から転送された情報に基づき、またトランスポンダ１から転送されたチェック・サムにも基づいて計算される。こうして、この後者の実施例において、トランスポンダ１から転送されたチェック・サムは、コミュニケータ４でのチェック・サムの計算に含まれる。
【００２２】
本発明による種々のチェック・サム計算アルゴリズムを使用して、これらのアルゴリズムがトランスポンダ１の記憶された同一データに種々のチェック・サムを与えることにより、いくつかの異なった権限付与レベルが存在する大きな会社またはプラントでのアプリケーションに、このシステムを適合させることができる。この手順はまた、いくつかの相互に異なる会社へ本システムを売却したいときに応用できる。
【００２３】
下記の諸例は本発明の範囲を限定することを意図するものではなく、むしろ単に本発明の種々の実施例を例示するものである。
【００２４】
本発明の第１の実施例によれば、トランスポンダ・メモリに記憶される情報は、５４１  ５４３  ５１８であり、チェック・サムを計算するアルゴリズムは全ての各桁の数字（ｄｉｇｉｔ）の合計である。こうしてチェック・サムは、３６になる。トランスポンダ１をプログラムするときに、チェックサムが計算されて、情報５４１  ５４３  ５１８とともに、トランスポンダ３のメモリに記憶される。トランスポンダ１がコミュニケータ４の近辺にあるときに、トランスポンダ１は照会信号１０を受信して、この信号を修正状態（ｍｏｄｉｆｉｅｄ  ｓｔａｔｅ）１１に反映する（ｒｅｆｌｅｃｔ）。反映され変調された信号１１は、コミュニケータ４に受信されて解釈される。チェック・サムは、トランスポンダ１から受信済みのチェック・サム以外の情報に基づいて、コミュニケータ４で計算される。計算されたチェック・サムは、受信されたチェック・サムと、コミュニケータ４で比較される。これらのチェック・サムが一致しなければ、情報が間違って転送されたと考えられる。これらのチェック・サムが互いに一致すれば、転送された全ての情報が正しく転送されたと考えられる。
【００２５】
第２の実施例によれば、トランスポンダは、会社が設立した権限管理システム（ａｕｔｈｏｒｉｔｙ  ｃｏｎｔｒｏｌ  ｓｙｓｔｅｍ）に、ＩＤタグで使用される。従業員ごとの番号は、各従業員の番号に基づいて計算されるチェック・サムとともにトランスポンダ１に記憶されている。いくつかの異なる権限レベルを有する会社内で権限管理システムを使用できるようにするために、チェック・サムを計算するのに使用されるアルゴリズムは、権限の各レベルごとに異なる。こうして、所与のアルゴリズムとともに機能することを目的とするＩＤタグを備えた従業員のグループは、会社の特定部分へアクセスする権限を付与されている。この実施例の場合、このアルゴリズムは、最初の１００人の従業員はチェック・サムｓを有し、次の１００人の従業員はチェック・サムｓ＋１を有し、その次の１０人の従業員はチェック・サムｓ＋３を有するようになり、ここでｓは従業員番号の各桁の数字の合計である。トランスポンダ１に記憶された情報を読取るときに、コミュニケータ４は、チェック・サムに基づいてデータ・システム９の支援の下に、関係する個人がある部門へアクセスする権限を付与されているかどうかを決定する。
【００２６】
第３の実施例は、多数の相互に異なる会社へ売却できる権限管理システムを説明する。このアルゴリズムは、従業員番号の中の全ての各桁の数字を合計してなるチェック・サムを計算するのに使用される。会社Ａは、三つの（３）権限レベル（ａｕｔｈｏｒｉｔｙ  ｌｅｖｅｌｓ）に分けられる１０００人の異なった従業員番号を有する。会社Ａについてのチェック・サムを計算するアルゴリズムは次のようになる、すなわち、従業員番号の三つの異なったシリーズが、それぞれチェック・サム、ｎ＋４９８  ５４８  ３９９、ｎ＋３５３  ９４９  ９８８、およびｎ＋８１８  ３１７  ８０２、を与え、ここで、ｎは従業員番号の各桁の数字の合計である。会社Ｂは二つの（２）レベルの権限に分けられる１００人の異なる従業員番号を有する。会社Ｂについてのチェック・サムを計算するのに使用されるアルゴリズムは次のようになる、すなわち、２つの権限付与（ａｕｔｈｏｒｉｓａｔｉｏｎ）レベルのチェック・サムはそれぞれ、ｎ＋１１３  ５７６  ９１５、およびｎ＋９１８  ６１２  ５１３であり、ここでｎは従業員番号の各桁の数字の合計である。会社Ｃは６人の従業員を有し、１つだけの権限付与のレベルを有する。会社Ｃのチェック・サムを計算するのに使用されるアルゴリズムは、チェック・サムが、ｎ＋３６１  ７１１  ９１８であるようになる。あるグループの従業員番号のチェック・サムを計算するためのアルゴリズムを選択できることは、非常に多数の会社へシステムを販売することを可能にし、ここで、各会社はまた、いくつかの異なったアルゴリズムを所有して、権限付与のいくつかのレベルを含ませるようにすることができる。
【００２７】
第４の実施例によれば、識別システムは会社Ａに売却されるものである。会社Ａはとりわけ、三つの従業員番号、１４５  ９１６、１４５  ９１７、および１４５  ９１８を有する。会社Ａのチェック・サムを計算するアルゴリズムは、従業員番号内の各桁の数字を合計して、３１９  ５１４を加算することにある。上の前記従業員番号の各桁の数字により得られるチェック・サムは、それぞれ２６、２７、および２８である。こうして会社Ａのチェック・サムは、それぞれ３１９  ５４０、３１９  ５４１、および３１９  ５４２である。この識別システムはまた、他の会社、指定される会社Ｂへ売却される。会社Ｂはまた、従業員番号１４６  ９１６、１４５  ９１７、および１４５  ９１８を有する。会社Ｂのチェック・サムを計算するに使用されるアルゴリズムは、従業員番号の各桁の数字を合計して、４１８  ７２４を加算することにある。上記の従業員番号の各桁の数字を合計して得られる数字は、それぞれ２６、２７、および２８である。こうして会社Ｂのチェック・サムは、それぞれ４１８  ７５０、４１８  ７５１、および４１８  ７５２である。この手順は、一方でセキュリティを保持しながら、システムを多数の会社へ売却することを可能にする。
【００２８】
これらのチェック・サムとこれらのアルゴリズムが変化し得ることは明らかである。当技術分野に平均的な技能を有する人物は、自由にチェック・サムとアルゴリズムを選択することができる。
【００２９】
添付の特許請求の範囲内で種々の変化形をなしえるので、従って本発明は前述の例示的な実施例に限定して考慮すべきものではない。
【図面の簡単な説明】
【００３０】
【図１】
2007517306.tif 000002
【手続補正書】
【提出日】平成18年9月6日(2006.9.6)
【手続補正１】
【補正対象書類名】特許請求の範囲
【補正対象項目名】請求項７
【補正方法】変更
【補正の内容】
【請求項７】
トランスポンダの１グループと一致して、トランスポンダの他のグループと比較して相違するアルゴリズムに基づいて計算される前記記憶されたチェック・サムを特徴とする請求項６記載のトランスポンダ。
【手続補正２】
【補正対象書類名】明細書
【補正対象項目名】００２７
【補正方法】変更
【補正の内容】
【００２７】
第４の実施例によれば、識別システムは会社Ａに売却されるものである。会社Ａはとりわけ、三つの従業員番号、１４５  ９１６、１４５  ９１７、および１４５  ９１８を有する。会社Ａのチェック・サムを計算するアルゴリズムは、従業員番号内の各桁の数字を合計して、３１９  ５１４を加算することにある。上の前記従業員番号の各桁の数字により得られるチェック・サムは、それぞれ２６、２７、および２８である。こうして会社Ａのチェック・サムは、それぞれ３１９  ５４０、３１９  ５４１、および３１９  ５４２である。この識別システムはまた、他の会社、指定される会社Ｂへ売却される。会社Ｂはまた、従業員番号１４５  ９１６、１４５  ９１７、および１４５  ９１８を有する。会社Ｂのチェック・サムを計算するに使用されるアルゴリズムは、従業員番号の各桁の数字を合計して、４１８  ７２４を加算することにある。上記の従業員番号の各桁の数字を合計して得られる数字は、それぞれ２６、２７、および２８である。こうして会社Ｂのチェック・サムは、それぞれ４１８  ７５０、４１８  ７５１、および４１８  ７５２である。この手順は、一方でセキュリティを保持しながら、システムを多数の会社へ売却することを可能にする。
【手続補正３】
【補正対象書類名】明細書
【補正対象項目名】００３０
【補正方法】変更
【補正の内容】
【００３０】
【図１】図１は、アンテナ及びＲＯＭメモリを含むトランスポンダを示す図である。
【国際調査報告】
2007517306.tif 000003
2007517306.tif 000004
2007517306.tif 000005